(57)【要約】【課題】  リード線の配線方向を縦方向および横方向の両方向に対して自由に対応可能な端子台を提供する。【解決手段】  長手方向に階段状に高さが変化する階段部を有する絶縁台と、前記階段部の各段に設けたリード線接続端子と、前記リード線接続端子をカバーする端子カバーとを備える端子台であって、前記端子カバーは、Ｌ字形の上部端子カバーとスライド可能なスライド端子カバーから成り、前記上部端子カバーの短手壁面は、リード線の配線方向が縦方向の場合にリード線を通す開口部を備え、長手壁面は、リード線の配線方向が横方向の場合に、リード線を通す間隙部を有し、前記スライド端子カバーは、前記絶縁台に取付けた状態でスライド可能な構造を有し、前記スライド端子カバーの、スライド後の位置関係により、リード線を縦方向および横方向に配線可能としたものである。【選択図】図１
2020087739.tif 000002
【特許請求の範囲】
【請求項１】
長手方向に階段状に高さが変化する階段部を有する絶縁台と、前記階段部の各段に設けたリード線接続端子と、前記絶縁台と嵌まり合い、前記リード線接続端子をカバーする端子カバーとを備える端子台であって、
前記端子カバーは、短手壁面と長手壁面を備えたＬ字形の上部端子カバーと、前記Ｌ字形の上部端子カバーの、長手壁面に対してスライド可能なスライド端子カバーとから成り、
前記Ｌ字形の上部端子カバーの短手壁面は、リード線の配線方向が縦方向の場合にリード線を通す開口部を備え、
前記Ｌ字形の上部端子カバーの長手壁面は、リード線の配線方向が横方向の場合にリード線を通す間隙部を有し、
前記スライド端子カバーは、前記絶縁台に取付けた状態でスライド可能な構造を有し、
前記スライド端子カバーの、スライド後の位置関係により、リード線を縦方向および横方向に配線可能とした端子台。
【請求項２】
請求項１に記載の端子台において、
前記絶縁台の階段部は、長手方向の中央部が高く、中央部から両側に向かうにつれて低くなる階段状であることを特徴とする端子台。
【請求項３】
請求項１に記載の端子台において、
前記階段部は、前後に位置のずれた段部を備え、
前記リード線接続端子は、前後に互い違いに配置されていることを特徴とする端子台。
【請求項４】
請求項１に記載の端子台において、
前記絶縁台に、前記上部端子カバーを取付けた状態で、前記スライド端子カバーを前記上部端子カバーの長手壁面に向かってスライドさせることで、リード線の配線方向が横方向の場合に使用する前記長手壁面の間隙部を覆い、リード線の横方向への配線を禁止とすることを特徴とする端子台。
【請求項５】
請求項１に記載の端子台において、
前記絶縁台の係合部と、前記上部端子カバーの係合部を係合させることで、前記上部端子カバーを前記絶縁台に着脱可能に取り付けたことを特徴とする端子台。
【請求項６】
請求項１に記載の端子台において、
前記絶縁台と前記スライド端子カバーとに、前記スライド端子カバーのスライド位置を規制するストッパーガイドおよびストッパー溝を設けたことを特徴とする端子台。
【請求項７】
請求項１〜６の何れか１項に記載の端子台を取り付けた配電機器。
【請求項８】
長手方向に階段状に高さが変化する階段部を有する絶縁台と嵌まり合い、前記階段部の各段に設けたリード線接続端子をカバーする端子カバーであって、
前記端子カバーは、短手壁面と長手壁面を備えたＬ字形の上部端子カバーと、前記Ｌ字形の上部端子カバーの、長手壁面に対してスライド可能なスライド端子カバーとから成り、
前記Ｌ字形の上部端子カバーの短手壁面は、リード線の配線方向が縦方向の場合にリード線を通す開口部を備え、
前記Ｌ字形の上部端子カバーの長手壁面は、リード線の配線方向が横方向の場合にリード線を通す間隙部を有し、
前記スライド端子カバーは、前記絶縁台に取付けた状態でスライド可能な構造を有し、
前記スライド端子カバーの、スライド後の位置関係により、リード線を縦方向および横方向に配線可能としたことを特徴とする端子カバー。
【発明の詳細な説明】
【技術分野】
【０００１】
本発明は、端子台の端子カバー、端子台およびそれを備えた配電機器に関する。
【背景技術】
【０００２】
遮断器等の配電機器において、端子台を取り付け、配電機器の内部装置からの内部配線を接続し、端子台を介して外部リード線に接続することが行われている。特許文献１には、配電機器である遮断器の側面に端子台を取り付け、遮断器を正面から見た状態において、端子台からリード線を縦方向に配線する構造が記載されている。特許文献１には、「回路遮断器の外側壁に取付部材を介して取付けられ、回路遮断器内部に配線される内部リード線と回路遮断器外部に配線される外部リード線とを接続する端子部と、この端子部と回路遮断器の外側壁との間を絶縁する絶縁板と、この絶縁板に連なり回路遮断器の外側壁と平行に延びた係止リブと、この係止リブと絶縁板との間に形成された嵌込み溝とを備え、上記取付部材は、上記嵌め込み溝に挿脱自在に嵌め込まれる嵌込み部と、この嵌込み部の両端部に連なり回路遮断器の上下面に着脱自在に取付けられる一対の取付け部とを備えたことを特徴とする回路遮断器の補助端子台。」（請求項１参照）と記載されている。
【先行技術文献】
【特許文献】
【０００３】
【特許文献１】特開平５−２７４９９２号公報
【発明の概要】
【発明が解決しようとする課題】
【０００４】
特許文献１には、遮断器の側面に端子台を取り付け、遮断器を正面から見た状態において、端子台からリード線を縦方向に配線する構造が記載されている。しかし、端子台からのリード線の配線方向は縦方向のみならず、横方向の配線も要求されている。リード線の配線方向が縦方向専用または横方向専用の端子台はそれぞれ既存しているが、リード線の配線方向が縦方向および横方向の両方に対応可能な端子台は存在しない。
【０００５】
本発明の目的は、端子台からの配線方向を縦方向および横方向の両方に対応可能とし、配線方向の両方に対応可能な端子カバーと、前記端子カバーを備えた端子台を提供することにある。
【課題を解決するための手段】
【０００６】
上記課題を解決するための、本発明の代表的な「端子台」の一例を挙げると、
長手方向に階段状に高さが変化する階段部を有する絶縁台と、前記階段部の各段に設けたリード線接続端子と、前記絶縁台と嵌まり合い、前記リード線接続端子をカバーする端子カバーとを備える端子台であって、前記端子カバーは、短手壁面と長手壁面を備えたＬ字形の上部端子カバーと、前記Ｌ字形の上部端子カバーの、長手壁面に対してスライド可能なスライド端子カバーとから成り、前記Ｌ字形の上部端子カバーの短手壁面は、リード線の配線方向が縦方向の場合にリード線を通す開口部を備え、前記Ｌ字形の上部端子カバーの長手壁面は、リード線の配線方向が横方向の場合にリード線を通す間隙部を有し、前記スライド端子カバーは、前記絶縁台に取付けた状態でスライド可能な構造を有し、前記スライド端子カバーの、スライド後の位置関係により、リード線を縦方向および横方向に配線可能としたものである。
【０００７】
また、本発明の代表的な「端子カバー」の一例を挙げるならば、
長手方向に階段状に高さが変化する階段部を有する絶縁台と嵌まり合い、前記階段部の各段に設けたリード線接続端子をカバーする端子カバーであって、前記端子カバーは、短手壁面と長手壁面を備えたＬ字形の上部端子カバーと、前記Ｌ字形の上部端子カバーの、長手壁面に対してスライド可能なスライド端子カバーとから成り、前記Ｌ字形の上部端子カバーの短手壁面は、リード線の配線方向が縦方向の場合にリード線を通す開口部を備え、
前記Ｌ字形の上部端子カバーの長手壁面は、リード線の配線方向が横方向の場合にリード線を通す間隙部を有し、前記スライド端子カバーは、前記絶縁台に取付けた状態でスライド可能な構造を有し、前記スライド端子カバーの、スライド後の位置関係により、リード線を縦方向および横方向に配線可能としたものである。
【発明の効果】
【０００８】
本発明によれば、単一でリード線の配線方向が縦方向および横方向の両方に対応可能な端子カバーと、前記端子カバーを備えた端子台を提供することができる。
上記した以外の課題、構成及び効果は、以下の実施形態の説明により明らかにされる。
【図面の簡単な説明】
【０００９】
【図１】本発明の実施例の端子台を示した斜視図である。
【図２】図１の上部端子カバーの斜視図である。
【図３】図１の上部端子カバーの中央付近の断面図である。
【図４】図１の絶縁台を縦（Ｙ方向）から見た図である。
【図５】図１のスライド端子カバーの斜視図である。
【図６】図１のスライド端子カバーを裏面（Ｘ方向）から見た図である。
【図７】図１の絶縁台の斜視図である。
【図８】図１の絶縁台のスライド溝を通る断面図である。
【図９】遮断器に端子台を取り付け、端子台から配線するリード線が縦方向配線の状態の斜視図である。
【図１０】遮断器に端子台を取り付け、端子台から配線するリード線が横方向配線の状態の斜視図である。
【図１１】図１の絶縁台を正面（Ｚ方向）から見た図である。
【発明を実施するための形態】
【００１０】
以下、本発明の実施例を図面を用いて説明する。
【実施例】
【００１１】
図１は、本発明の実施例の端子台の構成を示した斜視図である。図１において、端子台１は、長手方向の中央部が高く、中央部から両側に向かうにつれて階段状に低くなる階段部５aと、遮断器に取付けるための取付部を備えた絶縁壁６を有する絶縁台５と、絶縁台５と嵌まり合い、長手壁面３と短手壁面４の長さが異なる、Ｌ字形の上部端子カバー２と、前記上部端子カバー２の長手壁面に対して（図のＺ軸方向に）スライド可能なスライド端子カバー７と、絶縁台５の底面を絶縁するための裏蓋８から構成されている。図１は、上部端子カバー２を少し持ち上げ、傾けた状態である。絶縁台５の階段部５aの各段には、リード線を配線するための端子板９と、リード線を締め付けるための端子ねじ１０が取付けられ、リード線接続端子を構成している。端子台１は、遮断器に取り付けることで、付属装置の補助端子台として使用可能である。この場合、端子板８には付属装置の内部配線が接続される。
【００１２】
図２に、図１の上部端子カバー２の斜視図を、図３に、図１の上部端子カバー２の中央付近の断面図を、図４に、図１の絶縁台５を縦（Ｙ方向）から見た図を示す。上部端子カバー２は、Ｌ字形状であり、一つの長手壁面３と、一対の短手壁面４を備えている。長手壁面３は中央部から両側に向かうにつれて下降する、階段状の間隙部１１を備えている。間隙部１１は、リード線配線方向が横方向の場合、リード線を横方向に通すために使用する。また、短手壁面４は、リード線の配線方向が縦方向の場合に、リード線を通す開口部４aを備えている。さらに、図３に示すように、上部端子カバー２には、引掛け部１２を有し、図４に示す絶縁台５の引掛り部１３と引掛り合う。また、引掛け部１２とは反対側に設けた上部端子カバー２の係合部１４と、絶縁台５の係合部１５とが嵌り合うことで、上部端子カバー２を、絶縁台５に着脱可能に取り付ける。上部端子カバー２は、ねじ止めなどで絶縁台６に着脱可能に取り付けても良い。
【００１３】
図５に、図１のスライド端子カバー７の斜視図を、図６に、スライド端子カバー７を裏面（Ｘ方向）から見た図を、図７に、絶縁台５の斜視図を、図８に、絶縁台５のスライド溝を通る断面図を示す。絶縁台５にスライド端子カバー７を取付けた状態で、スライド端子カバー７をスライドさせるためには、図５に示すスライドガイド１６を、図７および図８に示した絶縁台５のスライド溝１７に嵌めこむことでスライド可能である。さらに、スライド時、スライド端子カバー７のスライド可能距離を一定にするためのストッパー構造として、図６に示すように、スライド端子カバー７に凸形状のストッパーガイド１８を設けた。また、前記形状に対し、前記ストッパーガイド１８に面する絶縁台５には、図７に示す、凹形状のストッパー溝１９を設けた。前記ストッパーガイド１８とストッパー溝１９との関係には、スライド可能な距離が一定となっており、指定距離以上の移動ができない構造となっている。さらに、指定距離の移動後、スライド端子カバー７を固定するため、図６に示すように、スライド端子カバー７にスライド固定突起２０と、図７および図８に示すように、絶縁台５にスライド固定突起２１を設けた。スライド端子カバー７のスライド固定突起２０が、絶縁台５のスライド固定突起２１を超えることで、スライド端子カバー７が引掛かる構造となっている。なお、前記のように固定後、再度スライド端子カバー７を下げることは容易であり、繰返し操作可能である。
【００１４】
図９に遮断器に端子台を取付け、端子台から配線するリード線が縦方向配線の状態の斜視図を、また、図１０に遮断器に端子台を取付け、端子台から配線するリード線が横方向配線の状態の斜視図を示す。遮断器は通常、壁面に取付けられる。すなわち、図のＸ−Ｙ平面からなる壁面に取付けられるので、Ｙ方向が縦方向、Ｘ方向が横方向、Ｚ方向が正面方向となる。図９において、遮断器２２の側面には端子台１が取付けられ、上部端子カバー２が嵌り合い、かつ、スライド端子カバー７は、上部端子カバー２に向かってスライドしており、絶縁台５のリード線接続端子が覆われている。この場合は、端子カバーの短手壁面４の開口部４aを通して、リード線２３の縦方向の配線が可能である。他方、図１０において、スライド端子カバー７は、上部端子カバー２に対して反対方向にスライドしているため、上部端子カバー２の間隙部１１を覆わなくなる。そのため、間隙部１１からリード線２３の横方向への配線が可能である。
【００１５】
図９のリード線２３の配線方向が縦方向の状態、および、図１０のリード線２３の配線方向が横方向の状態の切替えは、スライド端子カバー７を、上部端子カバー２に対し（Ｚ方向に）、上下にスライドさせることで任意に変更することができる。なお、この場合、上部端子カバー２は常に取付けた状態である。
【００１６】
図１１に絶縁台５の階段部５aを正面（Ｚ方向）から見た図を示す。図１および、図１１に示されるように、端子板９および、端子ねじ１０からなるリード線接続端子は、Ｘ方向に前後に２列に、そして交互に配置されている。すなわち、階段部５aは２列の段部を備え、リード線接続端子は２列の段部に前後に互い違いに配置されている。そのため、段部に取付けたリード線接続端子の位置が離れているため、例えば、リード線を縦方向配線した場合に、リード線は曲げることができるので、リード線の重なりを防止でき、端子ねじ１０の増締めが可能となる。
【００１７】
上部端子カバー２の取外しについては、リード線２３の配線時に、任意の配線方向で配線し、端子ねじ１０でリード線接続端子に締め付ける場合、および、前記したような端子ねじ１０の増締め時のみ、取外しすることとする。
【００１８】
本実施例によれば、端子カバーを上部端子カバーとスライド端子カバーで構成し、Ｌ字形の上部端子カバーは、リード線配線方向が横引出しの場合に、リード線を通す間隙部を有し、他方、スライド端子カバーは、前記上部端子カバーの間隙部を塞ぐような形状となっており、スライドによって間隙部の有無の状態を設定可能な構成としたので、リード線の配線方向が縦方向と横方向の両方に対応可能な端子カバーと、その端子カバーを備えた端子台を提供することができる。
【００１９】
なお、本発明の配電機器には、例えば、配線用遮断器、漏電遮断器、電磁接触器、電磁開閉器などが含まれる。
【００２０】
また、本発明は上記の実施例に限定されるものではない。例えば、リード線接続端子は実施例では端子板と端子ねじから構成されているが、ばねによりリード線を挟むものなど、リード線を接続できるものであれば良い。絶縁台の階段部は、長手方向の中央部が高く、中央部から両側に向かうにつれて階段状に低くなっているが、長手方向の片側が高く、他側に向かうにつれて階段状に低くなっているものでも良い。絶縁台の階段部は、２列の段部を備えているが、１列の段部でも、或いは、リード線接続端子が多い場合は３列以上の段部でも良い。上部端子カバーが存在するが、増締めや配線が可能であれば、上部端子カバーの形状を有する、一体形の絶縁台でも良い。さらに、遮断器側の絶縁板は省略しても良い。
【符号の説明】
【００２１】
１：端子台
２：上部端子カバー
３：長手壁面
４：短手壁面
４a：短手壁面の開口部
５：絶縁台
５ａ：絶縁台の階段部
６：絶縁板
７：スライド端子カバー 
８：裏蓋
９：端子板
１０：端子ねじ
１１：長手壁面の開口部
１２：上部端子カバーの引掛け部
１３：絶縁台の引掛り部
１４：上部端子カバーの係合部
１５：絶縁台の係合部
１６：スライドガイド
１７：スライド溝
１８：ストッパーガイド
１９：ストッパー溝
２０：スライド端子カバーのスライド固定突起
２１：絶縁台のスライド固定突起
２２：遮断器
２３：リード線
【図１】
2020087739.tif 000003
【図２】
2020087739.tif 000004
【図３】
2020087739.tif 000005
【図４】
2020087739.tif 000006
【図５】
2020087739.tif 000007
【図６】
2020087739.tif 000008
【図７】
2020087739.tif 000009
【図８】
2020087739.tif 000010
【図９】
2020087739.tif 000011
【図１０】
2020087739.tif 000012
【図１１】
2020087739.tif 000013